【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
椅子用ストレッチ補助具と、前記椅子用ストレッチ補助具が取り付けられる被取付部を備え、前記椅子用ストレッチ補助具は、前記被取付部に取り付けられる取付部と、突出しており着座者がストレッチ運動時に掴むことが可能な握り部とを備えることを特徴とする椅子。
【請求項２】
前記椅子用ストレッチ補助具は、座、背もたれ、ヘッドレストのいずれかに取り付けられるものであることを特徴とする請求項１記載の椅子。
【請求項３】
前記椅子用ストレッチ補助具は、肘掛けに代えて前記肘掛けの被取付部に取り付けられるものであることを特徴とする請求項１記載の椅子。
【請求項４】
前記握り部に着座者のつぼを刺激する突起が設けられていることを特徴とする請求項１記載の椅子。
【請求項５】
椅子用つぼ押し具と、前記椅子用つぼ押し具が取り付けられる被取付部を備え、前記椅子用つぼ押し具は、前記被取付部に取り付けられる取付部と、着座者のつぼを刺激する突起を備えることを特徴とする椅子。
【請求項６】
前記椅子用つぼ押し具は身体支持面に被されるシート状部材を備え、前記突起は前記シート状部材に設けられていることを特徴とする請求項５記載の椅子。
【請求項７】
前記椅子用つぼ押し具は前記身体支持面のサイズに応じて伸縮可能なサイズ調整部を備えることを特徴とする請求項６記載の椅子。
【請求項８】
前記椅子用つぼ押し具は、座、背もたれ、ヘッドレスト、脚羽根のいずれかに取り付けられるものであることを特徴とする請求項５記載の椅子。
【請求項９】
椅子用ストレッチ補助具と、前記椅子用ストレッチ補助具が取り付けられる第１の被取付部と、椅子用つぼ押し具と、前記椅子用つぼ押し具が取り付けられる第２の被取付部を備え、前記椅子用ストレッチ補助具は、前記第１の被取付部に取り付けられる取付部と、突出しており着座者がストレッチ運動時に掴むことが可能な握り部とを有し、前記椅子用つぼ押し具は、前記第２の被取付部に取り付けられる取付部と、着座者のつぼを刺激する突起を有することを特徴とする椅子。
【請求項１０】
前記第１の被取付部と前記第２の被取付部は共通のものであり、前記椅子用つぼ押し具の前記取付部は、前記椅子用ストレッチ補助具の前記取付部と一緒に取り付けられていることを特徴とする請求項９記載の椅子。
【請求項１１】
前面に着座者の頭のつぼを刺激する突起が設けられているヘッドレストを備えることを特徴とする請求項１から１０のいずれか一つに記載の椅子。
【手続補正２】
【補正対象書類名】明細書
【補正対象項目名】発明の名称
【補正方法】変更
【補正の内容】
【発明の名称】椅子
【手続補正３】
【補正対象書類名】明細書
【補正対象項目名】０００１
【補正方法】変更
【補正の内容】
【０００１】
本発明は、椅子に関する。
【手続補正４】
【補正対象書類名】明細書
【補正対象項目名】０００５
【補正方法】変更
【補正の内容】
【０００５】
本発明は、座りながらのストレッチ運動を行なうのに適した椅子、座ることで指圧効果を得ることができる椅子、座りながらのストレッチ運動を行なうのに適し且つ座ることで指圧効果を得ることができる椅子を提供することを目的とする。
【手続補正５】
【補正対象書類名】明細書
【補正対象項目名】０００６
【補正方法】変更
【補正の内容】
【０００６】
かかる目的を達成するために請求項１記載の椅子は、椅子用ストレッチ補助具と、椅子用ストレッチ補助具が取り付けられる被取付部を備え、椅子用ストレッチ補助具は、被取付部に取り付けられる取付部と、突出しており着座者がストレッチ運動時に掴むことが可能な握り部とを備えるものである。したがって、着座者がストレッチ運動時に掴むことが可能な握り部を備えた椅子が提供される。着座者は握り部を掴みながらストレッチ運動を行うことができる。
【手続補正６】
【補正対象書類名】明細書
【補正対象項目名】０００７
【補正方法】変更
【補正の内容】
【０００７】
また、請求項２記載の椅子は、椅子用ストレッチ補助具が、座、背もたれ、ヘッドレストのいずれかに取り付けられるものである。
【手続補正７】
【補正対象書類名】明細書
【補正対象項目名】０００８
【補正方法】変更
【補正の内容】
【０００８】
また、請求項３記載の椅子は、椅子用ストレッチ補助具が、肘掛けに代えて肘掛けの被取付部に取り付けられるものである。
【手続補正８】
【補正対象書類名】明細書
【補正対象項目名】０００９
【補正方法】変更
【補正の内容】
【０００９】
また、請求項４記載の椅子は、握り部に着座者のつぼを刺激する突起が設けられているものである。したがって、握り部を掴むと突起が掌のつぼに当たり、指圧効果を得ることができる。
【手続補正９】
【補正対象書類名】明細書
【補正対象項目名】００１０
【補正方法】変更
【補正の内容】
【００１０】
また、請求項５記載の椅子は、椅子用つぼ押し具と、椅子用つぼ押し具が取り付けられる被取付部を備え、椅子用つぼ押し具は、被取付部に取り付けられる取付部と、着座者のつぼを刺激する突起を備えるものである。したがって、着座者のつぼを刺激することができる突起を備えた椅子が提供される。椅子に腰かけることでつぼ押し具の突起が着座者のつぼに当って刺激する。
【手続補正１０】
【補正対象書類名】明細書
【補正対象項目名】００１１
【補正方法】変更
【補正の内容】
【００１１】
また、請求項６記載の椅子は、椅子用つぼ押し具が身体支持面に被されるシート状部材を備え、突起はシート状部材に設けられているものである。したがって、着座者の支持面に被されて使用される。ここで、着座者の支持面としては、例えば座の上面、背もたれの前面、ヘッドレストの前面等である。
【手続補正１１】
【補正対象書類名】明細書
【補正対象項目名】００１２
【補正方法】変更
【補正の内容】
【００１２】
また、請求項７記載の椅子は、椅子用つぼ押し具が身体支持面のサイズに応じて伸縮可能なサイズ調整部を備えるものである。したがって、サイズ調整部を伸縮させると、椅子用つぼ押し具の長さが変化し、椅子用つぼ押し具を取り付ける身体支持面のサイズに合わせて長さ調整可能になる。
【手続補正１２】
【補正対象書類名】明細書
【補正対象項目名】００１３
【補正方法】変更
【補正の内容】
【００１３】
また、請求項８記載の椅子は、椅子用つぼ押し具が、座、背もたれ、ヘッドレスト、脚羽根のいずれかに取り付けられるものである。
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】変更
【補正の内容】
【００１６】
また、請求項９記載の椅子は、椅子用ストレッチ補助具と、椅子用ストレッチ補助具が取り付けられる第１の被取付部と、椅子用つぼ押し具と、椅子用つぼ押し具が取り付けられる第２の被取付部を備え、椅子用ストレッチ補助具は、第１の被取付部に取り付けられる取付部と、突出しており着座者がストレッチ運動時に掴むことが可能な握り部とを有し、椅子用つぼ押し具は、第２の被取付部に取り付けられる取付部と、着座者のつぼを刺激する突起を有するものである。したがって、着座者がストレッチ運動時に掴むことが可能な握り部と、着座者のつぼを刺激することができる突起を備えた椅子が提供される。
【手続補正１６】
【補正対象書類名】明細書
【補正対象項目名】００１７
【補正方法】変更
【補正の内容】
【００１７】
また、請求項１０記載の椅子は、第１の被取付部と第２の被取付部が共通のものであり、椅子用つぼ押し具の取付部は、椅子用ストレッチ補助具の取付部と一緒に取り付けられるものである。したがって、椅子用つぼ押し具と椅子用ストレッチ補助具とを一緒に取り付けることができる。
【手続補正１７】
【補正対象書類名】明細書
【補正対象項目名】００１８
【補正方法】変更
【補正の内容】
【００１８】
さらに、請求項１１記載の椅子は、前面に着座者の頭のつぼを刺激する突起が設けられているヘッドレストを備えるものである。したがって、着座者が頭をヘッドレストの前面に載せると、突起が頭のつぼに当たり、指圧効果を得ることができる。
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】変更
【補正の内容】
【００２２】
請求項１記載の椅子では、椅子用ストレッチ補助具が取り付けられているので、座りながらストレッチ運動を行なうのに適した椅子を提供することができる。握り部は椅子から突出しているので、身体から適度に離れた位置に配置され、着座者にとって掴み易いものとなる。また、握り部は掴みやすいものであり、手が滑る等して外れ難く、ストレッチ運動がし易くなる。さらに、座や背もたれ等を直接掴むことにはならないので、張り地等を汚し難くなる。
【手続補正２２】
【補正対象書類名】明細書
【補正対象項目名】００２３
【補正方法】変更
【補正の内容】
【００２３】
また、請求項２記載の椅子では、椅子用ストレッチ補助具を椅子の座、背もたれ、ヘッドレストのいずれかに取り付けて使用することができる。
【手続補正２３】
【補正対象書類名】明細書
【補正対象項目名】００２４
【補正方法】変更
【補正の内容】
【００２４】
また、請求項３記載の椅子では、椅子用ストレッチ補助具を肘掛けの被取付部を利用して椅子に取り付けることができるので、ストレッチ補助具専用の被取付部をわざわざ椅子に設ける必要がなく、製造コストの増加を抑えることができる。
【手続補正２４】
【補正対象書類名】明細書
【補正対象項目名】００２５
【補正方法】変更
【補正の内容】
【００２５】
また、請求項４記載の椅子では、ストレッチ運動を行ないながら掌のつぼを刺激して指圧効果も一緒に得ることができる。
【手続補正２５】
【補正対象書類名】明細書
【補正対象項目名】００２６
【補正方法】変更
【補正の内容】
【００２６】
また、請求項５記載の椅子では、椅子用つぼ押し具が取り付けられているので、座って体重を掛けるだけで指圧効果を得ることができる。
【手続補正２６】
【補正対象書類名】明細書
【補正対象項目名】００２７
【補正方法】変更
【補正の内容】
【００２７】
また、請求項６記載の椅子では、着座者のつぼを刺激することができる位置に突起を設けることが容易になる。
【手続補正２７】
【補正対象書類名】明細書
【補正対象項目名】００２８
【補正方法】変更
【補正の内容】
【００２８】
また、請求項７記載の椅子では、身体支持面のサイズに合わせてシート状部材の長さを調整することができるので、サイズ別にシート状部材を造る必要がなくなり、製造コストの増加を抑えることができると共に、汎用性を高めることができる。
【手続補正２８】
【補正対象書類名】明細書
【補正対象項目名】００２９
【補正方法】変更
【補正の内容】
【００２９】
また、請求項８記載の椅子では、椅子用つぼ押し具を座、背もたれ、ヘッドレスト、脚羽根のいずれかに取り付けて使用することができる。
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】変更
【補正の内容】
【００３２】
また、請求項９記載の椅子では、座りながらストレッチ運動を行なうのに適し、且つ座って体重を掛けるだけで指圧効果を得ることができる椅子を提供することができる。
【手続補正３２】
【補正対象書類名】明細書
【補正対象項目名】００３３
【補正方法】変更
【補正の内容】
【００３３】
また、請求項１０記載の椅子では、つぼ押し具とストレッチ補助具とを一緒に取り付けることができるので、取り付け、取り外し作業が容易になると共に、共通化による部品コストの低減を図ることができる。
【手続補正３３】
【補正対象書類名】明細書
【補正対象項目名】００３４
【補正方法】変更
【補正の内容】
【００３４】
また、請求項１１記載の椅子では、座りながら頭のつぼを刺激することができる。
【手続補正３４】
【補正対象書類名】明細書
【補正対象項目名】００３５
【補正方法】削除
【補正の内容】